(57)【要約】【課題】無線センサ装置の最適設置場所を簡単に検知できる。【解決手段】本発明に係る無線センサシステム１は、何らかの検知を行う無線センサ装置２と、該無線センサ装置２と無線によってデータのやり取りを行う無線基地局３と、を備えている。無線センサ装置２の側にはサンプル信号を送信するサンプル信号送信部（不図示）が設けられており、無線基地局３の側には、その受信感度を検知する感度検知部（不図示）と、その検知結果を無線センサ装置２の側に送信する感度送信部（不図示）とが配置されている。さらに、無線センサ装置２には、ＬＥＤ及びブザーの少なくとも一方（不図示）が設けられており、感度送信部からのデータに基づき受信感度を告知するように構成されている。無線センサ装置２をセットしようとする作業者は最適設置場所をＬＥＤ等にて簡単に知ることができる。【選択図】図１
2007195095.tif 000002
【特許請求の範囲】
【請求項１】
無線センサ装置と無線基地局とを備えていて、無線によりデータのやり取りを行う無線センサシステムにおいて、
前記無線センサ装置は、何らかの検知を行うセンサ部と、前記無線基地局との間でデータのやり取りを行うための無線送受信部と、前記無線基地局に対してサンプル信号を送信するサンプル信号送信部と、ＣＰＵと、ブザー及びＬＥＤの少なくとも一方と、を有し、
前記無線基地局は、前記無線センサ装置との間でデータのやり取りを行うための無線送受信部と、前記サンプル信号送信部からのサンプル信号の受信感度を検知する感度検知部と、該感度検知部の検知結果を前記無線センサ装置に送信する感度送信部と、を有し、
前記無線センサ装置のＣＰＵは、前記感度送信部からのデータに基づき受信感度レベルを前記ブザー及び前記ＬＥＤの少なくとも一方で告知するようにする、
ことを特徴とする無線センサシステム。
【請求項２】
前記無線センサ装置は、前記サンプル信号の送信に伴ってカウントを開始する第１タイマー部を有し、
前記サンプル信号送信部は、前記感度送信部からのデータを受信しない場合には、前記第１タイマー部のカウントに従って前記サンプル信号の送信を繰り返し行い、
前記無線センサ装置は、その送信回数を検知する送信回数検知部を有し、
前記無線センサ装置のＣＰＵは、前記感度送信部からのデータ及び前記送信回数検知部の検知結果に基づき受信感度レベルを前記ブザー及び前記ＬＥＤの少なくとも一方で告知するようにする、
ことを特徴とする請求項１に記載の無線センサシステム。
【請求項３】
前記無線センサ装置は、通常の計測を行う第１モードと、前記サンプル信号の送信により受信感度レベルを調べる第２モードとに切り替え可能に構成され、
前記無線センサ装置は、前記第２モードへの移行に伴ってカウントを開始すると共に前記感度送信部から検知結果の返信を受ける度にリセットされて新たなカウントを開始する第２タイマー部を有し、前記感度送信部からの検知結果を受信できずに該第２タイマー部が所定時間をカウントした場合に、前記第２モードを終了して前記第１モードに戻る、
ことを特徴とする請求項１又は２に記載の無線センサシステム。
【請求項４】
前記無線基地局は、前記第２モードへの移行に伴ってカウントを開始すると共に前記感度送信部から検知結果の返信を行う度にリセットされて新たなカウントを開始する第３タイマー部を有し、該検知結果の返信が行われずに該第３タイマー部が所定時間をカウントした場合に、前記第２モードを終了して前記第１モードに戻る、
ことを特徴とする請求項３に記載の無線センサシステム。
【請求項５】
前記無線基地局は、前記無線センサ装置に対してサンプル信号を送信するサンプル信号送信部を有し、
前記無線センサ装置は、前記サンプル信号の受信感度を検知する感度検知部を有し、
前記無線センサ装置のＣＰＵは、前記感度検知部からのデータに基づき受信感度レベルを前記ブザー及び前記ＬＥＤの少なくとも一方で告知するようにする、
ことを特徴とする請求項１乃至４のいずれか１項に記載の無線センサシステム。
【発明の詳細な説明】
【技術分野】
【０００１】
本発明は、無線センサ装置と無線基地局との間で無線によりデータのやり取りを行う無線センサシステムに関する。
【背景技術】
【０００２】
近年、センサによって検知した種々のデータ（例えば、温度や照度や加速度や磁気や降雨や降雪等についてのデータ）を無線により無線基地局に送信するようにした無線センサシステムが様々な分野で使用されている（例えば、特許文献１参照）。
【０００３】
図７は、従来の無線センサシステムの構成の一例を示す模式図である。図中の符号１２０は、各所に配置されるセンサ（例えば、侵入者検知センサや火災検知センサ）を示し、符号１２１は、該センサ１２０の検知情報を無線信号にて送信する送信機を示し、これらのセンサ１２０及び送信機１２１によってセンサ装置１０２が構成されている。また、符号１０３は、集中監視を行うためのコントローラを示し、符号１０４は、送信機１２１からコントローラ１０３へ無線の中継を行う無線中継機を示す。
【０００４】
一方、符号１０５は、センサ１２０の通信テスト時に使用する携帯用無線通信機を示し、コントローラ１０３に対してテスト要求信号を送信し、コントローラ１０３からセンサテスト結果信号を受信すると、センサ１２０の検知情報をその表示部に表示するように構成されている。
【０００５】
上述の装置においては、センサ１２０の検知情報は携帯用無線通信機１０５の表示部に表示されるようになっているため、各センサ装置１０２に液晶パネル等の表示部を設けておく必要は無く、各センサ装置１０２のコストや消費電力を低減することができる。また、センサ装置１０２を設置する作業者が前記携帯用無線通信機１０５を携帯することにより、通信状態を（前記コントローラ１０３の側でなく）センサ装置１０２の側で知ることができ、センサ装置の設置作業を簡単にすることができる。
【特許文献１】特開平１０−３２６３８４号公報
【発明の開示】
【発明が解決しようとする課題】
【０００６】
しかしながら、上述のように携帯用無線通信機１０５を使用する場合には、その分、コストが掛かってしまうという問題があった。例えば、コントローラ１０３から遠く離れた様々な場所に多くのセンサ装置１０２を設置する必要がある場合には、各作業者に携帯用無線通信機１０５をそれぞれ携行させる必要があり、コストが掛かってしまう。
【０００７】
本発明は、上述した問題を解決する無線センサシステムを提供することを目的とするものである。
【課題を解決するための手段】
【０００８】
請求項１に係る発明は、図１乃至図３に例示するものであって、無線センサ装置（２）と無線基地局（３）とを備えていて、無線によりデータのやり取りを行う無線センサシステム（１）において、
前記無線センサ装置（２）は、何らかの検知を行うセンサ部（２０）と、前記無線基地局（３）との間でデータのやり取りを行うための無線送受信部（２１）と、前記無線基地局（３）に対してサンプル信号を送信するサンプル信号送信部（２２）と、ＣＰＵ（２３）と、ブザー（２４）及びＬＥＤ（２５）の少なくとも一方と、を有し、
前記無線基地局（３）は、前記無線センサ装置（２）との間でデータのやり取りを行うための無線送受信部（３１）と、前記サンプル信号送信部（２２）からのサンプル信号の受信感度を検知する感度検知部（３４）と、該感度検知部（３４）の検知結果を前記無線センサ装置（２）に送信する感度送信部（３５）と、を有し、
前記無線センサ装置（２）のＣＰＵ（２３）は、前記感度送信部（３５）からのデータに基づき受信感度レベルを前記ブザー（２４）及び前記ＬＥＤ（２５）の少なくとも一方で告知するようにすることを特徴とする。
【０００９】
請求項２に係る発明は、請求項１に係る発明において、前記無線センサ装置（２）は、前記サンプル信号の送信に伴ってカウントを開始する第１タイマー部（２７Ａ）を有し、
前記サンプル信号送信部（２２）は、前記感度送信部（３５）からのデータを受信しない場合には、前記第１タイマー部（２７Ａ）のカウントに従って前記サンプル信号の送信を繰り返し行い、
前記無線センサ装置（２）は、その送信回数を検知する送信回数検知部（２９）を有し、
前記無線センサ装置（２）のＣＰＵ（２３）は、前記感度送信部（３５）からのデータ及び前記送信回数検知部（２９）の検知結果に基づき受信感度レベルを前記ブザー（２４）及び前記ＬＥＤ（２５）の少なくとも一方で告知するようにすることを特徴とする。
【００１０】
請求項３に係る発明は、請求項１又は２に係る発明において、前記無線センサ装置（２）は、通常の計測を行う第１モードと、前記サンプル信号の送信により受信感度レベルを調べる第２モードとに切り替え可能に構成され、
前記無線センサ装置（２）は、前記第２モードへの移行に伴ってカウントを開始すると共に前記感度送信部（３５）から検知結果の返信を受ける度にリセットされて新たなカウントを開始する第２タイマー部（２７Ｂ）を有し、前記感度送信部（３５）からの検知結果を受信できずに該第２タイマー部（２７Ｂ）が所定時間をカウントした場合に、前記第２モードを終了して前記第１モードに戻ることを特徴とする。
【００１１】
請求項４に係る発明は、請求項３に係る発明において、前記無線基地局（３）は、前記第２モードへの移行に伴ってカウントを開始すると共に前記感度送信部（３５）から検知結果の返信を行う度にリセットされて新たなカウントを開始する第３タイマー部（３７）を有し、該検知結果の返信が行われずに該第３タイマー部（３７）が所定時間をカウントした場合に、前記第２モードを終了して前記第１モードに戻ることを特徴とする。
【００１２】
請求項５に係る発明は、請求項１乃至４のいずれか１項に記載の発明において、前記無線基地局（３）は、前記無線センサ装置（２）に対してサンプル信号を送信するサンプル信号送信部（３２）を有し、
前記無線センサ装置（２）は、前記サンプル信号の受信感度を検知する感度検知部（２６）を有し、
前記無線センサ装置（２）のＣＰＵ（２３）は、前記感度検知部（２６）からのデータに基づき受信感度レベルを前記ブザー（２４）及び前記ＬＥＤ（２５）の少なくとも一方で告知するようにすることを特徴とする。
【００１３】
なお、括弧内の番号などは、図面における対応する要素を示す便宜的なものであり、従って、本記述は図面上の記載に限定拘束されるものではない。
【発明の効果】
【００１４】
請求項１乃至５に係る発明によれば、受信感度レベルを無線センサ装置の側で知ることができ、無線センサ装置側に居る作業者が該装置の最適設置場所（通信状態の良い最適設置場所）を簡単に効率良く知ることができる。また、該無線センサ装置には、複雑な構成の表示装置（例えば、液晶パネル）を搭載する必要がなく、簡単な構成のブザーやＬＥＤを搭載するだけで足り、その分、無線センサ装置のコストを低減することができる。
【発明を実施するための最良の形態】
【００１５】
以下、図１乃至図３等に沿って、本発明を実施するための最良の形態について説明する。ここで、図１は、本発明に係る無線センサシステムの全体構成の一例を示す概略図であり、図２は、無線センサ装置の構成の一例を示すブロック図であり、図３は、無線基地局の構成の一例を示すブロック図である。
【００１６】
本発明に係る無線センサシステムは、図１に符号１で例示するものであって、無線センサ装置２と無線基地局３とを備えていて、無線によりデータのやり取りを行うものである。
【００１７】
そして、前記無線センサ装置２は、図２に示すように、何らかの検知を行うセンサ部２０と、前記無線基地局３との間でデータのやり取りを行うための無線送受信部（以下、“センサ側送受信部”とする）２１と、前記無線基地局３に対してサンプル信号を送信するサンプル信号送信部２２と、ＣＰＵ２３と、ブザー２４及びＬＥＤ２５の少なくとも一方と、を備えている。
【００１８】
また、前記無線基地局３は、図３に示すように、前記無線センサ装置２との間でデータのやり取りを行うための無線送受信部（以下、“基地局側送受信部”とする）３１と、前記サンプル信号送信部２２からのサンプル信号の受信感度を検知する感度検知部３４と、該感度検知部３４の検知結果を前記無線センサ装置２に送信する感度送信部３５と、を備えている。
【００１９】
本発明によれば、前記無線センサ装置２から前記無線基地局３に対してサンプル信号が送信されると、該無線基地局３の感度検知部３４がその受信感度を検知し、前記感度送信部３５がその検知結果を前記無線センサ装置２の側に返信することとなる。本発明においては、前記無線センサ装置２のＣＰＵ２３は、前記感度送信部３５からのデータに基づき受信感度レベルを前記ブザー２４及び前記ＬＥＤ２５の少なくとも一方で告知するようにしている。その結果、受信感度レベルを無線センサ装置２の側で知ることができ、無線センサ装置２の側に居る作業者が該装置の最適設置場所（通信状態の良い最適設置場所）を簡単に効率良く知ることができる。また、該無線センサ装置２には、複雑な構成の表示装置（例えば、液晶パネル）を搭載する必要がなく、簡単な構成のブザーやＬＥＤを搭載するだけで足り、その分、無線センサ装置２のコストを低減することができる。
【００２０】
ところで、前記無線基地局３の側に、前記無線センサ装置２に対してサンプル信号を送信するサンプル信号送信部３２を設け、前記無線センサ装置２の側に、前記サンプル信号の受信感度を検知する感度検知部２６を設け、前記無線センサ装置２のＣＰＵ２３は、前記感度検知部２６からのデータに基づき受信感度レベルを前記ブザー２４及び前記ＬＥＤ２５の少なくとも一方で告知するようにしても良い。
【００２１】
また、前記無線センサ装置２は、該無線センサ装置２の側から前記無線基地局３の側へのサンプル信号の送信に伴ってカウントを開始する第１タイマー部２７Ａを有し、前記サンプル信号送信部２２は、前記感度送信部３５からのデータを受信しない場合には、前記第１タイマー部２７Ａのカウントに従って前記サンプル信号の送信を繰り返し行い（図５のＳ２５→Ｓ２７→Ｓ２６→Ｓ２４参照）、前記無線センサ装置２は、その送信回数を検知する送信回数検知部２９を有し、前記無線センサ装置２のＣＰＵ２３は、前記感度送信部３５からのデータ及び前記送信回数検知部２９の検知結果に基づき受信感度レベルを前記ブザー２４及び前記ＬＥＤ２５の少なくとも一方で告知するようにしても良い。
【００２２】
前記無線センサ装置２が、通常の計測を行う第１モードと、前記サンプル信号の送信により受信感度レベルを調べる第２モードとに切り替え可能に構成されるようにし、前記無線センサ装置２は、前記第２モードへの移行に伴ってカウントを開始すると共に前記感度送信部３５から検知結果の返信を受ける度にリセットされて新たなカウントを開始する第２タイマー部２７Ｂを有し、前記感度送信部３５からの検知結果を受信できずに該第２タイマー部２７Ｂが所定時間をカウントした場合に、前記第２モードを終了して前記第１モードに戻るようにしても良い。そのように構成した場合には、前記無線基地局３の側へサンプル信号が送信され、その検知結果が前記無線センサ装置２の側に返信されてきている間は、前記第２タイマー部２７Ｂはリセットを繰り返すので、第２モードが継続されることとなる。
【００２３】
その場合、前記無線基地局３は、前記第２モードへの移行に伴ってカウントを開始すると共に前記感度送信部３５から検知結果の返信を行う度にリセットされて新たなカウントを開始する第３タイマー部３７を有し、該検知結果の返信が行われずに該第３タイマー部３７が所定時間をカウントした場合に、前記第２モードを終了して前記第１モードに戻るようにしても良い。
【実施例１】
【００２４】
本実施例においては、図１乃至図３に示す構成の無線センサシステムを構築した。以下、具体的に説明する。
【００２５】
本発明に係る無線センサシステム１は、図１に示すように、複数の無線センサ装置２と、各無線センサ装置２との間で無線によりデータのやり取りを行うセンサ基地局（無線基地局）３と、により構成した。
【００２６】
各無線センサ装置２は、図２に示すように、センサ部２０と、ＣＰＵ２３と、センサ基地局３との間でデータのやり取りを行うセンサ側送受信部（無線送受信部）２１と、アンテナ２８と、ブザー２４と、ＬＥＤ２５と、電池（不図示）とによって構成した。ＣＰＵ２３には制御ソフトを内蔵させておいて、このＣＰＵ２３にて、センサ側送受信部２１の制御やセンサ部２０の処理を行うようにした。センサ部２０の測定値はＣＰＵ２３にて処理し、センサ側送受信部２１からセンサ基地局３に送信するようにした。なお、測定値のセンサ基地局３への送信の頻度は、測定するデータの種類に応じて変更できるようにすると良い。例えば、気温や照度など、頻繁には変化しない量を検知する場合には、一定の時間（例えば、１０分）を開けて送信すれば良く、加速度や磁気などのように瞬時に変化するような量を検知する場合には、常にデータ送信を行うようにすると良い。
【００２７】
一方、センサ基地局３には、図３に示すように、各センサ装置２との間でデータのやり取りを行うための基地局側送受信部（無線送受信部）３１と、アンテナ３６と、ＣＰＵ３３と、を設けた。また、該センサ基地局３にはホストＩ／Ｆ３８を設けておき、パソコン４を接続できるようにした。
【００２８】
ところで、無線センサ装置２の側にはサンプル信号送信部２２を設けておいて、一定レベルのサンプル信号をセンサ基地局３に対して送信するようにした。そして、センサ基地局３の側には、そのサンプル信号の受信感度を検知する感度検知部３４と、該検知結果を無線センサ装置２に送信する感度送信部３５と、を配置しておいた。なお、受信感度を検知する機能は、例えば、無線通信チップに内蔵される機能を使用することで可能となる。本実施例においては、基地局側送受信部３１に、受信レベルを検知する機能を有するものを使用して、基地局側送受信部３１と感度検知部３４とを兼用させることとした。また、その受信レベルデータは受信毎にＣＰＵで取得するようにし、通信データと共にパソコン４に送信するようにした。さらに、無線センサ装置２のＣＰＵ２３は、前記感度送信部３５からのデータに基づき受信感度レベルをブザー２４及びＬＥＤ２５により告知するようにした。具体的には、ＣＰＵ２３から供給する駆動パルスの周波数を変化させることにより、ブザー２４の鳴動音色（音程）を高（６ｋＨｚ）、中（３ｋＨｚ）、低（１ｋＨｚ）などのように変更できるようにしておき、その音色で受信感度を知ることができるようにした（詳細は後述する）。また、ＬＥＤ２５を赤色ＬＥＤと緑色ＬＥＤとにより構成して、点灯の組み合わせにより赤色、緑色、及びオレンジ色を表示できるようにしておき、その色で受信感度を知ることができるようにした（詳細は後述する）。
【００２９】
また、センサ基地局３の側にもサンプル信号送信部３２を設けておいて、一定レベルのサンプル信号が無線センサ装置２に対して送信されるようにした。そして、無線センサ装置２の側には、そのサンプル信号の受信により感度を検知する感度検知部２６を配置しておいた。さらに、センサ基地局３から信号を受信する毎に、ＣＰＵ２３にて受信レベルデータを取得し、該データを不図示のメモリに保存できるようにした。
【００３０】
ところで、センサ基地局３のＣＰＵ３３には制御ソフトを内蔵しておいて、基地局側送受信部３１やホストＩ／Ｆ３８の制御を行うようにした。
【００３１】
なお、各無線センサ装置２からのデータをいつでも受信できるようにするため、センサ基地局３の電源は常にオンにしておいた。
【００３２】
ところで、本実施例においては、各無線センサ装置２は、
・  通常の計測を行う“通常モード（第１モード）”と、
・  無線センサ装置２を設置する際に通信状態が良好か否かを調べるための“設置モード（第２モード）”と
に切り替え可能に構成した。以下、設置モードのときの作用について、図４及び図５を参照して説明する。
【００３３】
いま、無線センサ装置２が通常モードにあり（図５のＳ２１参照）、情報を逐次センサ基地局３に送信している状態にあるとする。
【００３４】
その状態で、パソコン４のモニター画面には、図４に示すような表等を表示させ、画面上で、設置モードにすべきセンサ装置（つまり、画面上の“センサＩＤ”）をカーソル５０で選択し、モニター画面上の“設置スタート”ボタン５１をクリックする（図５のＳ１参照）。すると、センサ基地局３は、選択されたセンサ装置２に対してコマンド（設置モードに入るコマンド）を送信する（図５のＳ２参照）。
【００３５】
センサ装置２は、前記コマンド（設置モードに入るコマンド）を受信すると設置モードに入り（同図のＳ２２参照）、センサ基地局３に対してリクエスト送信を行う（Ｓ２４参照）。なお、設置モードに入った時点でタイマーＢ（第２タイマー部）によるカウントが開始される（Ｓ２３参照）。
【００３６】
なお、電波強度の影響により、センサ基地局３によるリクエストコマンドの受信が行えない場合もある。そこで、無線センサ装置２がリクエスト送信を行った時点でタイマーＡ（第１タイマー部）がスタートする（Ｓ２５参照）。所定時間（０．５秒）が経過してもリクエスト返信コマンドを受信しなかった場合であって、再送回数が２以下の場合には、再びリクエスト送信を行うようにした（Ｓ２７→Ｓ２６→Ｓ２４参照）。この再送信回数は、例えばＣＰＵ内蔵のメモリに記録しておき、センサデータ送信時などに、受信レベルデータなどとともに、センサ基地局へ送信するようにした。
【００３７】
一方、センサ基地局３が上述のリクエストコマンドを受信すると（Ｓ４，Ｓ６参照）、その受信レベルを取得し（Ｓ７参照）、受信レベルを付加したコマンド（リクエスト返信コマンド）をセンサ装置２に対して送信する（Ｓ８参照）。
【００３８】
このコマンド（リクエスト返信コマンド）を受信したセンサ装置２は、コマンドに付加されているデータ（つまり、受信レベルと再送回数についてのデータ）からランクを決定し、該ランクに基づきブザー２４やＬＥＤ２５を動作させる（Ｓ２７，Ｓ２８参照）。
【００３９】
本実施例においてはブザー２４の音の高低、及びＬＥＤ２５の色によって受信レベルや再送回数が分るようにした。具体的には、下表に示すようにした。
【表１】
2007195095.tif 000003
【００４０】
例えば、受信レベルが２００で、再送回数が０の場合は、ランク５となり、ブザーの鳴動周波数は中（３ｋＨｚ）でＬＥＤは緑色となる。また、受信レベルが２０で、再送回数が２の場合は、ランク２となり、ブザーの鳴動周波数は低（１ｋＨｚ）でＬＥＤはオレンジ色となる。通信状態のランクは、パソコン４のモニター画面上にも表示されるようにした（図４に示す表の最右欄参照）。なお、本実施例では、センサ装置側の感度検知部２６及びセンサ基地局側の感度検知部３４でそれぞれ受信レベルを測定しているが、小さい方の値を評価の対象にした。このような測定を行った後、タイマーＢを再スタート（つまり、リセットしてカウントを再開）させ（Ｓ３０参照）、２秒間待機し、再送回数を０にリセットし（Ｓ３１参照）、再度、リクエスト送信等を開始するようにした（Ｓ２４，２５，２６，２７，２８，２９参照）。
【００４１】
一方、リクエストコマンドの再送回数が３の場合は、上述した表のランクが“１”となり、ブザー２４は高音で鳴らされ、ＬＥＤ２５は赤色に点灯される（Ｓ２９参照）。その後、２秒間待機し、再送回数を０にリセットして（Ｓ３１参照）、再度、リクエスト送信等が開始される（Ｓ２４，２５，２６，２７，２８，２９参照）。
【００４２】
上述したように、本実施例の設置モードでは、約２秒間隔で次々とリクエストコマンドが送信され、その度に通信状態がブザー２４やＬＥＤ２５によって告知される。したがって、作業者は、２秒間隔で告知される情報に基づき、無線センサ装置２の最適位置を捜し出すことができる。因みに、無線センサ装置２がリクエスト返信コマンドを受信できなかった場合には、上述のタイマーＢはカウントをし続けることとなり、所定時間経過時に通常モードに戻ることとなる（Ｓ３２参照）。
【００４３】
なお、センサ基地局３は、“設置モードに入るコマンド”の送信と同時にタイマーＣ（第３タイマー部）によるカウントを開始している（Ｓ３参照）。このタイマーＣは、上述のようにリクエスト返信コマンドがセンサ装置２に対して送信される度にリセットされて新たなカウントを開始するようになっており、１０分が経過してもリクエスト返信コマンドを送信しなかった場合には通常モードに戻るようにした（Ｓ１０参照）。また、パソコンモニター上の終了ボタン（図４の符号５２参照）によっても、設置モードを終了して通常モードに戻るようにした（図５のＳ９，Ｓ１０，Ｓ１１参照）。
【００４４】
ところで、通信に使用するデータ構造は図６に示すようにした。図中のセンサＩＤは、対象となるセンサを識別するためのＩＤであり、コマンドの種類は下表のようにした。さらに、受信レベルは０から２５５の数字で表現し、再送回数は０，１又は２とした。その再送回数の後に、センサーの測定データを付加した。
【表２】
2007195095.tif 000004
【００４５】
なお、図５のフローチャートにおいては、無線センサ装置２からセンサ基地局３への送信回数（つまり、リクエスト送信の回数）のみをカウントし、その送信回数により通信状態のランク分けを行っているが、もちろんこれに限られるものではなく、センサ基地局３から無線センサ装置２への送信回数をカウントするようにしても良い。その場合、通信状態のランク分けは、無線センサ装置２からセンサ基地局３への送信回数、センサ基地局３から無線センサ装置２への送信回数の内、大きい方の回数を用いて行うと良い。
【図面の簡単な説明】
【００４６】
【図１】図１は、本発明に係る無線センサシステムの全体構成の一例を示す概略図である。
【図２】図２は、無線センサ装置の構成の一例を示すブロック図である。
【図３】図３は、無線基地局の構成の一例を示すブロック図である。
【図４】図４は、パソコンのモニター画面に表示される映像の一例を示す模式図である。
【図５】図５は、本発明に係る無線センサシステムの作用の一例を説明するためのフローチャート図である。
【図６】図６は、通信に使用されるデータ構造の一例を示す模式図である。
【図７】図７は、従来の無線センサシステムの構成の一例を示す模式図である。
【符号の説明】
【００４７】
１            無線センサシステム
２            無線センサ装置
３            無線基地局（センサ基地局）
２０          センサ部
２１          無線送受信部（センサ側送受信部）
２２          サンプル信号送信部
２３          ＣＰＵ
２４          ブザー
２５          ＬＥＤ
２６          感度検知部
２７Ａ        第１タイマー部（タイマーＡ）
２７Ｂ        第２タイマー部（タイマーＢ）
２９          送信回数検知部
３１          無線送受信部（基地局側送受信部）
３２          サンプル信号送信部
３４          感度検知部
３５          感度送信部
３７          第３タイマー部（タイマーＣ）
【図１】
2007195095.tif 000005
【図２】
2007195095.tif 000006
【図３】
2007195095.tif 000007
【図４】
2007195095.tif 000008
【図５】
2007195095.tif 000009
【図６】
2007195095.tif 000010
【図７】
2007195095.tif 000011